(57)【要約】      （修正有）【課題】消灯後の暗室内において、電力を供給することなく発光する発光板からの光によって鑑賞対象物を鑑賞できる額縁であって、透光性のあるアクリル板等に和紙等で造形した鑑賞対象物を自由に組み合わせることにより、鑑賞者が独自に鑑賞対象物を造形できる額縁を提供する。【解決手段】額縁６は、透光性を有する正面板１、鑑賞対象物を造形した透光性を有する第１層２及び第２層３、木板等に蓄光材料を塗布したシートを貼付などした発光板４を保持し、発光板４の蓄光材が、消灯後の暗室内において、照明器具等から蓄光した光を、鑑賞対象物の背後から一定時間発光して、鑑賞対象物を鑑賞することができる。第１層２及び第２層３は、それぞれ他の鑑賞対象物と入れ替えることができるため、鑑賞者が鑑賞対象物を自由に組み合わせて独自の鑑賞対象物を造形することができる。【選択図】図６
0003227547.tif 000002
【実用新案登録請求の範囲】
【請求項１】
透光性を有する正面板と透光性を有する第１層及び透光性を有する第２層にそれぞれ造形を施した鑑賞対象物と、前記第１層及び前記第２層へ向かって背面側から光を発する発光板を保持する額縁。
【請求項２】
前記第１層及び前記第２層の鑑賞対象物に背面側から光を当てる前記発光板が、電力の供給を必要とせずに、昼間の太陽光や照明器具からの光を蓄光材に蓄光して、暗室や照明器具を消灯した室内で蓄光材が発光する額縁。
【請求項３】
前記第１層及び前記第２層には、透光性のある和紙等で鑑賞対象物が造形され、前記第１層又は前記第２層に施された造形がそれぞれ独立して鑑賞対象物となったり、前記第１層及び前記第２層に施された造形が、額縁正面側から重なって見えることにより作られる造形を鑑賞対象物とすることのできる額縁。
【請求項４】
額縁外枠に設けた４本の溝のうち最も正面側の溝に前記正面板を、また、最も背面側の溝に前記発光板を接着剤等で固定し、前記正面版と前記発光板との間に設けられている２本の溝に、前記第１層及び前記第２層を挿入または引き抜くことにより、前記第１層及び前記第２層を前記額縁から出し入れできる額縁。
【請求項５】
前記第１層及び前記第２層に施された鑑賞対象物は、前記額縁から出し入れすることで他の透光性のある板状に施された鑑賞対象物へ入れ替えたり、前記第１層の鑑賞対象物と前記第２層鑑賞対象物の位置を入れ替えたりすることにより、鑑賞者が独自の鑑賞対象物を造形できる額縁。
【請求項６】
前記額縁外枠に施す溝の間隔を調整するによって、前記正面板、前記第１層、前記第２層、前記発光板のそれぞれの間隔を調整することのできる額縁。
【考案の詳細な説明】
【技術分野】
【０００１】
本考案は、額縁に関するものである。
【背景技術】
【０００２】
従来から、額縁内の鑑賞対象物が透光性を有する和紙、切り絵、ステンドグラス等である場合には、これらの鑑賞対象物の鑑賞性を高めるために、鑑賞対象物の背面側に照明装置を設けて正面側に向けて光を透過させたりしている。また、鑑賞対象物は、あらかじめ造形されている特定の鑑賞対象物であったり、この鑑賞対象物とは異なる他のあらかじめ造形されている特定の鑑賞対象物と入れ替えたりしている。
【０００３】
特許文献１には、鑑賞対象物の背面側からの透過光を利用する鑑賞対象物、例えば、和紙、切り絵、ステンドグラス等を額縁の背面側に備えられた照明器具からの光で照らす額縁が開示されている。
【先行技術文献】
【特許文献】
【０００４】
【特許文献１】特開平５−３２９０４２号公報
【考案の概要】
【考案が解決しようとする課題】
【０００５】
特許文献１に開示されているように、鑑賞対象物の背面側から光を照らすことにより、鑑賞対象物の鑑賞性を高めることが従来から行われている。また、額縁内の鑑賞対象物は、あらかじめ造形されて額縁の外枠や背面版等に接着材等により固定されていたり、固定せずに他のあらかじめ造形された鑑賞対象物と入れ替えたりしている。
【０００６】
一方、照明装置への電力の供給は電源ケーブル、充電池、乾電池を介して電力が供給されており、電力の供給がない場合には、昼間であれば正面側から差し込んだ太陽光による鑑賞対象の鑑賞は可能であるが、夜間においては、室内の照明器具を消灯した後は、鑑賞対象物の鑑賞はできない。このためため額縁に設置する照明装置への電力の供給がない場合の暗い室内等においても鑑賞対象物の鑑賞ができる額縁の開発が望まれている。また、額縁内の鑑賞対象物を入れ替える場合には、あらかじめ造形された鑑賞対象物としか入れ替えできない。このため、鑑賞者の独自の調整を加えて鑑賞対象物を造形できる額縁の開発も望まれている。
【０００７】
本考案は、このような事情に鑑みてなされたものであって、鑑賞対象物の背面側から電力の供給を不要とする光を発することにより鑑賞対象物の鑑賞を可能とする額縁と、あらかじめ造形された複数の鑑賞対象物を手軽に組み合わせることにより、鑑賞者が独自に鑑賞対象物を造形できる額縁を提供することを目的とする。
【課題を解決するための手段】
【０００８】
上記課題を解決するために、本考案の額縁は以下の手段を採用する。
【０００９】
本考案の一態様に係る額縁は、透光性を有する正面板の背面側に設ける透光性を有する第１層及び透光性を有する第２層を鑑賞対象物とし、前記第１層及び前記第２層へ向かって背面側から光を発する発光板とを備える。鑑賞対象物は、前記第１層に施された造形だけでもよいし、前記第２層に施した造形だけでもよく、また、前記第１層と前記第２層のそれぞれの鑑賞対象物が重なって見えることにより作られる造形も鑑賞対象物となる。
【００１０】
上記「額縁」には、以下に例示するように、種々の技術的限定を加えてもよい。
【００１１】
前記第１層と前記第２層は設置位置を入れ替えることが可能であり、入れ替えることにより変化した重なって見えることにより作られる造形も鑑賞対象物となる。
【００１２】
前記第１層及び前記第２層の鑑賞対象物は、これらとは別の他の鑑賞対象物にそれぞれ入れ替えることが可能であり、入替後第１層及び入替後第２層の鑑賞対象物が重なって見えることにより作られる造形も鑑賞対象物となる。
【００１３】
前記正面板と前記第１層との間、前記第１層と前記第２層との間、前記第２層と発光板との間には間隔が設けられる。
【００１４】
前記間隔は、調整可能とされる。
【００１５】
前記発光板は、蓄光材料を塗布したり、蓄光材料をあらかじめ塗布している蓄光シートを貼付したりしている木製やアクリル製等の板状のものとする。発光板は、面状に光を発する。
【考案の効果】
【００１６】
本考案によれば、昼間の太陽光や室内の照明器具からの光を蓄えた前記発光板の蓄光材が、夜間又は照明器具の消灯後の暗い室内等において、前記第１層及び前記第２層に施された鑑賞対象物の背面から一定の時間光を発して、鑑賞対象物の鑑賞を一定の時間可能にすることができるという効果を有する。
【図面の簡単な説明】
【００１７】
【図１】本考案の実施形態に係る額縁の斜視図である。
【図２】本考案の実施形態に係る額縁の縦断面図である。
【図３】本考案の実施形態に係る額縁に設置する板、層の配列図である。
【図４】本考案の実施形態に係る発光板の縦断面図である。
【図５】本考案の実施形態に係る鑑賞対象物を造形した層の出し入れの概念図である。
【図６】本考案の実施形態に係る展示例である。
【考案を実施するための形態】
【００１８】
以下に、本考案に係る額縁の一実施形態について、図面を参照して説明する。
【００１９】
[１．額縁の構成]
図１は本実施形態に係る額縁６の斜視図であり、図２は額縁６の縦断麺図である。図３は額縁６に設置される正面板１、第１層２、第２層３、発光板４の配列図であり、第４図は発光板４の縦断麺図である。図５は第１層２および第２層３を額縁６に出し入れする概念図であり、図６は展示例である。本実施形態に係る額縁６は、一例として縦方向、横方向を同一の長さとする四角形であり、額縁６の大きさ（縦及び横の長さ）は特に限定されない。さらに、額縁６は、室内の壁に掛けられてもよいし、スタンド等によって家具等の上面に立てかけられてもよい。
【００２０】
額縁６は、その正面側から、正面板１、第１層２、第２層３、発光板４、及び額縁外枠５が備えられる。額縁外枠５は開閉が可能であり、開閉方法は、図５のように上部の一部を固定して開閉する方法に限らず、上部を前後又は左右にスライドさせて開閉するなどの方法がある。
【００２１】
額縁６は、額縁の周縁を形成する矩形状であって、正面板１、第１層２、第２層３、及び発光板４を保持する額縁外枠５を備える。具体的には、額縁外枠５の上部を開いて、正面側から正面板１、第１層２、、第２層３、発光板４がこの順番で額縁外枠５に一定の間隔で施されている溝に挿入される。そして、額縁外枠５の上部を閉じることで、正面板１、第１層２、、第２層３、発光板４が額縁外枠５に固定される。なお、額縁外枠５の開閉方法は一つの方法に限定されない。
【００２２】
額縁外枠５に対する正面板１、第１層２、第２層３、発光板４の固定方法は一例であり、これに限られない。また、額縁外枠５は、例えば、木材、プラスチック、アルミニウム等で形成される。
【００２３】
正面板１、第１層２、第２層３は、透光性を有していればよく、例えば、アクリル板又はガラス板等の透明な板によって形成される。
【００２４】
第１層２及び第２層３は、一例として、透光性のある和紙等を透光性のあるアクリル板等に貼付するなどして造形する鑑賞対象物であり、第１層２及び第２層３がそれぞれ単独で鑑賞対象物となり、また、第１層２と第２層３が前後に重なり合うことにより、正面側から見た場合に重なり合った一つの鑑賞対象物を造形する。
【００２５】
本実施形態に係る第１層２及び第２層３の鑑賞対象物は、一例として、アクリル板に貼付した和紙による造形とする。なお、鑑賞対象物は、アクリル板に貼付した和紙の他にも、アクリル板に貼付した切り絵やステンドグラス等の光を透過し易いものとする。
【００２６】
発光板４は、第１層２及び第２層３の鑑賞対象物へ向かって面状に光を発するものである。発光板４は、一例として、木材等の板に蓄光材料を塗布したり、蓄光材料があらかじめ塗布されているシートを木材等に貼付したりして製作される。
【００２７】
また、本実施形態に係る発光板４は、一例として、蓄光材４Ａの緑色の光を発するが、これに限らず、他の色の蓄光材４Ａにより発せられる光の色でもよい。なお、発光板４の蓄光材４Ａは、長時間にわたり発光することが望ましい。。
【００２８】
発光板４は、額縁６の背面を形成するものであり、例えば木材やアクリル板等で形成される。
【００２９】
本実施形態に係る額縁６は、外枠５の内側面に四本の溝が設けられ、正面板１、第１層２、第２層３、発光板４を挿入できる。正面板１、第１層２、第２層３、発光板４のそれぞれの間隔は、外枠５の内側に設けられる四本の溝の間隔で形成される。また、四本の溝の間隔は一定ではなく調整可能とする。
【００３０】
[２．立体的な額縁の構成]
図１は、第１層２及び第２層３を保持した場合の斜視図であり、図５は、第１層２及び第２層３の鑑賞対象物を、第１層２及び第２層３の鑑賞対象物とは異なる鑑賞対象物に入れ替える場合の第１層２及び第２層３を出し入れする斜視図である。なお、正面板１及び発光板４は外枠５の上部以外の部分に固定され、第１層２及び第２層３の鑑賞対象物を出し入れする場合に、外枠５の上部が開いた場合でも、外枠５の硬性を保持する。
【００３１】
外枠５に対する正面板１及び発光板４の固定は、接着剤によって行われてもよいし、固定具を介して行われてもよく、限定されない。
【００３２】
本本実施形態に係る額縁６は、第１層２と第２層３、第２層３と発光板４との間に間隔があることから、正面側から光が当たった場合には、第１層２の鑑賞対象物の図柄が第２層３の鑑賞対象物に映し出され、背面側から光が当たった場合には第２層３の鑑賞対象物の図柄が第１層２の鑑賞対象物に映し出されることから、額縁６全体に奥行き感を持たせることができる。
【００３３】
以上説明したように、本実施形態に係る額縁６は、透光性を有する第１層２及び第２層３の鑑賞対象物を外枠５に出し入れすることにより、第１層２及び第２層３の鑑賞対象物をそれぞれ単独で鑑賞したり、重ね合わせて見えることによリ作られる造形を鑑賞したりすることができる。また、昼間の太陽光や室内の照明器具からの光を額縁６の背後面に設置する発光板４に蓄光しておいて、夜間の消灯後の暗い室内等において、額縁６に電力を供給することなく第１層２及び第２層３の鑑賞対象物を鑑賞したり、第１層２又は第２層３に遮光性の高い鑑賞対象物を造形している場合には、この鑑賞対象物を切り絵のように鑑賞できる。
【００３４】
[３．他の実施形態]
以上、本考案を、上記実施形態を用いて説明したが、本考案の技術的範囲は上記実施形態に記載の範囲には限定されない。考案の要旨を逸脱しない範囲で上記実施形態に多様な変更又は改良を加えることができ、当該変更または改良を加えた形態も本考案の技術的範囲に含まれる。
【００３５】
例えば、上記の実施形態では、額縁６を四角形とする形態について説明したが、本考案は、これに限定されるものではなく、額縁６は、例えば、円形でもよいし四角形以外の多角形やその他の形状としてもよい。
【００３６】
また、上記実施形態では、外枠５の上部を開閉することにより、第１層２及び第２層３の鑑賞対象物を出し入れすることが可能なものとしているが、外枠５の上部のうち、第１層２及び第２層３の上部のみは常に解放された状態にしておいて、第１層２及び第２層３を出し入れしてもよい。
【００３７】
また、上記実施形態では、発光板４が第１層２及び第２層３の鑑賞対象物全体に光を照らす形態について説明したが、本考案は、これに限定されるものではなく、発光板４が第１層２及び第２層３の鑑賞対象物の一部に光を照らす形態としてもよい。この形態により、第１層２及び第２層３の鑑賞対象物の一部だけを、夜間又は照明器具を消灯した室内で鑑賞することのできる鑑賞対象物とすることができる。
【実施例】
【００３８】
図６は、本実施形態に係る額縁６に第１層２の鑑賞対象物２Ａ及び第２層３の鑑賞対象物３Ａを保持した場合の展示例を示す模式図である。額縁６に第１層２だけを保持している場合には鑑賞対象物２Ａだけが鑑賞でき、第２層３だけを保持している場合には鑑賞対象物３Ａだけが鑑賞できる。そして、額縁６に第１層２の鑑賞対象物２Ａと第２層３の鑑賞対象物３Ａを保持している場合には、これらの鑑賞対象物が重なって見えることにより作られる造形を鑑賞対象物７として鑑賞することができる。
【００３９】
また、本実施形態に係る額縁６に第１層２の鑑賞対象物２Ａ及び第２層３の鑑賞対象物３Ａを保持した場合は、額縁６の正面側から太陽光又は照明器具等からの光が当たった場合には、それぞれの鑑賞対象物が持つ本来の色を鑑賞することができ、夜間における照明器具の消灯後の暗い室内等では、蓄光材４Ａが発光する緑色と鑑賞対象物が持つ本来の色とが重なることにより、新たな色合いの鑑賞対象物を鑑賞することができる。なお、蓄光材４Ａの色によって、鑑賞対象物が持つ本来の色と重なり合ってできる新たな色合いは限定されないが、蓄光材４Ａの色がどのような色の場合であっても、第１層２及び第２層３の鑑賞対象物の遮光性が高い場合には、発光板４からの光が遮光されて、鑑賞対象物の形が切り絵のように鑑賞することができる。
【符号の説明】
【００４０】
６    額縁
１    正面板
２    第１層（鑑賞対象物を含む）
２Ａ  第１層に施された鑑賞対象物
３    第２層（鑑賞対象物を含む）
３Ａ  第２層に施された鑑賞対象物
４    発光板（貼付等をした蓄光材を含む）
４Ａ  蓄光材（蓄光材料の塗布又は蓄光材料の塗布が施されたシートの貼付等）
５    額縁外枠
７    ２Ａと３Ａとが重なることにより造形された鑑賞対象物
【図１】
0003227547.tif 000003
【図２】
0003227547.tif 000004
【図３】
0003227547.tif 000005
【図４】
0003227547.tif 000006
【図５】
0003227547.tif 000007
【図６】
0003227547.tif 000008
【手続補正書】
【提出日】令和2年5月20日(2020.5.20)
【手続補正１】
【補正対象書類名】実用新案登録請求の範囲
【補正対象項目名】請求項１
【補正方法】変更
【補正の内容】
【請求項１】
透光性を有する正面板と、透光性のある和紙等により鑑賞対象物を造形した透光性のある第１層及び第２層と、前記第１層及び前記第２層へ向かって背面側から光を発する発光板を保持する額縁。
【手続補正２】
【補正対象書類名】実用新案登録請求の範囲
【補正対象項目名】請求項２
【補正方法】変更
【補正の内容】
【請求項２】
第１層及び第２層が、透光性のある和紙等により鑑賞対象物として造形され、前記第１層及前記第２層の鑑賞対象物に背面側から光を当てる発光板が、電力の供給を必要とせずに、昼間の太陽光や照明器具からの光を蓄光材に蓄光して、暗室や照明器具を消灯した室内で発光することにより、前記第１層及び前記第２層の鑑賞対象物を鑑賞できる額縁。
【手続補正３】
【補正対象書類名】実用新案登録請求の範囲
【補正対象項目名】請求項３
【補正方法】変更
【補正の内容】
【請求項３】
第１層及び第２層が、透光性のある和紙等で鑑賞対象物として造形され、前記第１層又は前記第２層に造形された鑑賞対象物が、昼間の太陽光や照明器具からの光の下では、それぞれ独立した鑑賞対象物とし鑑賞することができ、暗室や照明器具を消灯した室内では、前記第１層及び第２層の背面側から当てられた光により、前記第１層及び第２層に造形された鑑賞対象物の陰影が、額縁正面側から重なって見えることにより作られる造形を鑑賞対象物として鑑賞することのできる額縁。
【手続補正４】
【補正対象書類名】実用新案登録請求の範囲
【補正対象項目名】請求項４
【補正方法】変更
【補正の内容】
【請求項４】
額縁外枠に設けた４本の溝のうち最も正面側の溝に正面板を、また、最も背面側の溝に発光板を接着剤等で固定し、前記正面板と前記発光板との間に設けられている２本の溝に、第１層及び第２層を挿入または引き抜くことにより額縁から出し入れして、前記第１層及び前記第２層に造形した鑑賞対象物とは異なる鑑賞対象物を造形した前記第１層とは異なる第１層、及び前記第２層とは異なる第２層と交換することのできる額縁。
【手続補正５】
【補正対象書類名】実用新案登録請求の範囲
【補正対象項目名】請求項５
【補正方法】変更
【補正の内容】
【請求項５】
鑑賞者が、第１層及び第２層の鑑賞対象物を自由に組み合わせて鑑賞者独自の鑑賞対象物を簡便に造形できるようにするため、前記第１層及び前記第２層の鑑賞対象物を額縁から容易に出し入れできるように、額縁外枠の上部が開閉できる額縁。
【手続補正６】
【補正対象書類名】実用新案登録請求の範囲
【補正対象項目名】請求項６
【補正方法】変更
【補正の内容】
【請求項６】
第１層に造形された鑑賞対象物と第２層に造形された鑑賞対象物との間隔を調整することによりそれぞれの鑑賞対象物の鑑賞性を高めることが可能な場合や、前記第１層及び前記第２層の陰影が前記第２層及び前記第１層に映し出される効果を利用して額縁全体に奥行き感を持たせる必要がある場合などのために、前記第１層と前記第２層との間隔を調整することのできる溝を額縁外枠に設けた額縁。